(57)【要約】本発明は、ナビゲーションスイッチであって、作動エレメント（１）が設けられており、該作動エレメント（１）が、少なくとも２つの方向に傾倒可能であり、該作動エレメント（１）によって当該ナビゲーションスイッチが操作可能である形式のものに関する。作動エレメント（１）はケーシング（２，７）内に収容されていて、スイッチングエレメント（３）に作用するようになっている。本発明によれば、作動エレメント（１）とケーシング（２，７）との間に制限エレメント（５，６）が配置されており、該制限エレメント（５，６）が、当該ナビゲーションスイッチに対する作動力を制限するようになっている。
2006502542.tif 000002
【特許請求の範囲】
【請求項１】
ナビゲーションスイッチ（１）であって、
−作動エレメント（１）が設けられており、該作動エレメント（１）が、少なくとも２つの方向に傾倒可能であり、該作動エレメント（１）によって当該ナビゲーションスイッチが操作可能であり、
−作動エレメント（１）を収容しているケーシング（２，７）が設けられており、
−スイッチングエレメント（３）が設けられており、該スイッチングエレメント（３）に作動エレメント（１）が作用するようになっている形式のものにおいて、
作動エレメント（１）とケーシング（２，７）との間に制限エレメント（５，６）が配置されており、該制限エレメント（５，６）が、スイッチングエレメント（３）に対する作動力を制限するようになっていることを特徴とするナビゲーションスイッチ。
【請求項２】
制限エレメント（５）がケーシング（２）と一体的に形成されている、請求項１記載のナビゲーションスイッチ。
【請求項３】
制限エレメント（５）およびケーシング（２）が弾性プラスチックから製作されている、請求項１または２記載のナビゲーションスイッチ。
【請求項４】
制限エレメント（５，６）が作動エレメント（１）に向かって凸状に形成されている、請求項１から３までのいずれか１項記載のナビゲーションスイッチ。
【請求項５】
制限エレメント（５）が格子状に形成されている、請求項１から３までのいずれか１項記載のナビゲーションスイッチ。
【請求項６】
制限エレメント（６）が、湾曲させられたプレートとして形成されている、請求項１記載のナビゲーションスイッチ。
【請求項７】
制限エレメント（６）がプラスチックまたは金属から形成されている、請求項６記載のナビゲーションスイッチ。
【請求項８】
制限エレメント（５，６）が、作動エレメント（１）の下面に存在するタペット（１１）を収容するための、軸方向の切欠きを有している、請求項１記載のナビゲーションスイッチ。
【請求項９】
ケーシング（７）が円形の中空室（７１）を有しており、この場合、中空室（７１）を制限している底部の外側領域に、少なくとも２つの係止部（７２）が形成されており、凸状に形成された制限エレメント（６）が、少なくとも２つの別の対応係止部（６１）を有しており、該対応係止部（６１）が、ケーシング（７）の、適当に設けられた係止部（７２）内に係合するようになっている、請求項１記載のナビゲーションスイッチ。
【請求項１０】
制限エレメント（６）がケーシング（７）の中空室（７１）内に嵌め込まれており、この場合、制限エレメント（６）が、係止のために４５°だけ時計回りに回動させられており、これにより、制限エレメント（６）の対応係止部が、ケーシング（７）の係止部（７２）内に係合している、請求項１記載のナビゲーションスイッチ。
【発明の詳細な説明】
【技術分野】
【０００１】
本発明は、ナビゲーションスイッチであって、作動エレメントが設けられており、該作動エレメントが、少なくとも２つの方向に傾倒可能であり、該作動エレメントによってナビゲーションスイッチが操作可能であり、作動エレメントを収容しているケーシングが設けられており、スイッチングエレメントが設けられており、該スイッチングエレメントに作動エレメントが作用するようになっている形式のものに関する。
【０００２】
ナビゲーションスイッチは、通常、スイッチングケーシングを有しており、このスイッチングケーシングは、スイッチングケーシングの内室内に配置されたスイッチングエレメントを備えている。このスイッチングエレメントは、少なくとも２つのコンタクト領域に向かって移動可能であって、移動に際してコンタクト位置に到達するようになっており、このコンタクト位置は電気的なコンタクトをスイッチングする。スイッチングエレメントは、ケーシングの内室内に配置されたスイッチングレバーの軸方向の延長部として外方へ案内された作動アームを有している。作動アームは、スイッチングケーシング内に存在する操作エレメントを介して、中心の非作業位置から複数の方向に旋回させられるようになっている。
【０００３】
このようなナビゲーションスイッチは、多様な応用のために公知である。このようなナビゲーションスイッチは、一般的に、例えばデジタルカメラ、ビデオレコーダまたは移動電話のような娯楽用電子機器類の電子機器を制御するために使用されるが、電子式のデータ処理機器内でメニュー制御するためにも使用される。前記のようなナビゲーションスイッチは、特に、個々の構成部材に複数の機能が配属される場合に、構成部材を減少させる際に使用される。
【０００４】
スイッチングエレメントを作動させるために、作動エレメントは、スイッチングエレメントの作動アームの機械的な接触が行われ得るように、下面に存在するタペットを有している。作動エレメントの作動に際して、作動エレメントのタペットは、作動力をスイッチングエレメントの作動アームに伝達する。これにより、作動アームはコンタクト位置に到達し、電気的なコンタクトをスイッチングする。
【０００５】
冒頭に述べたナビゲーションスイッチは、今日の時点では、あまりにも高すぎる作動力に対する防護装置を有していない。作動エレメントの不適切な作動またはあまりにも強すぎる作動は、スイッチングエレメントの作動アームに高い作動力を生ぜしめ、この作動力は、スイッチングエレメントの破壊という結果を招くことがあり得る。さらに、作動エレメントの不定の傾動によって、スイッチングエレメントが破壊されることがあり得る。
【０００６】
本発明の課題は、スイッチングエレメントが予定よりも早い磨耗および破壊から、より良好に防護されているナビゲーションスイッチを提供することである。
【０００７】
この課題は本発明によれば、作動エレメントとケーシングとの間に制限エレメントが配置されており、該制限エレメントが、スイッチングエレメントに対する作動力を制限するようになっていることによって解決される。
【０００８】
このナビゲーションスイッチは、作動エレメントとこの作動エレメントを収容しているケーシングとの間で制限エレメントが使用されることによって、どのような形式のスイッチングエレメントも、不適切な作動もしくはあまりにも強すぎる作動から防護されることができるという利点を有している。
【０００９】
制限エレメントが、中央に設けられた切欠きを有しており、該切欠きが、作動エレメントにおけるタペットの寸法に対応していることによって、作動エレメントを軌道内で案内することが可能になり、したがって、不定の傾倒が防止される。
【００１０】
あまりにも大きすぎる作動力は、制限エレメントを介して、この制限エレメントを収容しているケーシングの側壁内に導入される。作動エレメントのタペットを、スイッチングエレメントの作動アームにおいて確実に案内することが可能になる。
【００１１】
有利な１実施態様では、制限エレメントがケーシングと一体的に形成されており、制限エレメントおよびケーシングが弾性プラスチックから製作されていることが考えられている。
【００１２】
さらに、有利な１実施態様では、制限エレメントが作動エレメントに向かって凸状に形成されていて、格子状の構造を有していることが考えられている。
【００１３】
同じく、制限エレメントは、プラスチックまたは金属から製作された、湾曲させられたプレートとして形成されていてもよい。
【００１４】
この場合、制限エレメントが、作動エレメントの下面に存在するタペットを収容するための、軸方向の切欠きを有していることが有利である。
【００１５】
本発明の有利な１実施態様では、制限エレメントを収容しているケーシングが、円形の中空室を有しており、この場合、該中空室を制限している底部の外側領域に、少なくとも２つの係止部が形成されており、凸状に形成された制限エレメントが、少なくとも２つの別の対応係止部を有しており、該対応係止部が、ケーシングの、適当に設けられた係止部内に係合するようになっていることが考えられている。
【００１６】
ここでは、制限エレメントはケーシングの中空室内に嵌め込まれており、この場合、組付けが行われた後、制限エレメントは、係止のために４５度だけ時計回りに回動させられており、これにより、制限エレメントの対応係止部が、ケーシングの係止部内に係合している。
【００１７】
本発明に基づいて、通常の状況下で生じる、あまりにも高すぎる作動力に起因した磨耗が、制限エレメントによって阻止されるようになっているナビゲーションスイッチを、極めて僅かな製作兼組付け費用で提供することが可能になっている。作動エレメントを収容するためのケーシングの構成ユニットは、前組付けされた形状で、特別に念を入れる必要なしにストックされることができ、取り扱われることができる。
【００１８】
作動エレメントに生じる大きい作動力は、付加的な作動エレメントを介してケーシングの側壁内に導入される。制限エレメントの使用によって、マイクロスイッチを、不適切な作動もしくはあまりにも強すぎる作動から防護することもできる。同時に、制限エレメントによって、不定の傾倒を防止するために作動エレメントを軌道内で案内することが可能になる。
【００１９】
オプションで使用されることができる制限エレメントの使用によって、特性をケーシングの材料とは無関係に適合させることが可能になる。ナビゲーションスイッチもしくはスイッチングエレメントの寿命に有利な影響が与えられる。
【００２０】
以下に本発明を、図面に示した実施例に基づき詳しく説明する。種々異なる図面中の同じかまたは対応するエレメントは、同じ参照符号を備えている。
【００２１】
図１には、本発明によるナビゲーションスイッチの斜視図を示してある。このナビゲーションスイッチはスイッチングエレメント３を有しており、このスイッチングエレメント３は正方形の底面を有している。この底面は例えばケーシング部またはボード４に配置されている。スイッチングエレメント３は、このスイッチングエレメント３のカバーにおける切欠きを通して案内されている作動アーム３１を有している。この作動アーム３１は、スイッチングエレメント３の内室内に配置されたスイッチングレバー（ここでは図示せず）の軸方向の延長部として働く。中央でスイッチングエレメント３の内室内に配置されたスイッチングレバーは、少なくとも２つのコンタクト領域に向かって移動可能である。これにより、コンタクト位置への移動に際して、電気的なコンタクトがスイッチングされる。
【００２２】
さらに、ナビゲーションスイッチは円形の作動エレメント１を有しており、この作動エレメント１は、半径方向に配置された４つのスイッチング位置と中央に配置された１つのスイッチング位置とを備えている。作動エレメント１の下面には、軸方向に配置されたタペット１１が設けられている。ナビゲーションスイッチは、さらに、ケーシング２を有しており、このケーシング２は、作動エレメント１の寸法に対応する円形の中空室２１を備えている。組み付けられた状態では、作動エレメント１はケーシング２によって収容され、このケーシング２はスイッチングエレメント３の上方に配置されている。これにより、作動エレメント３のタペット１１は、中央でスイッチングエレメント３の作動アーム３１に係合する。
【００２３】
スイッチングエレメント３の作動は、作動エレメント１を介して行われる。この場合、作動エレメント１のタペット１１は、作動力をスイッチングエレメント３の作動アーム３１に伝達するので、この作動アーム３１はスイッチング位置に移動させられる。この場合、ケーシング２内に配置された制限エレメント５が、スイッチングエレメント３の作動アーム３１に作用する力を制限する。
【００２４】
図２には、図１に記載したナビゲーションスイッチを、ケーシング２内で中央に配置された作動エレメント１を備えて平面図で示してある。
【００２５】
図２による線Ｄ−Ｄに沿った断面図は、図３に示してある。既に予め論じたように、作動エレメント１がケーシング２内に存在するのがわかる。この場合、作動エレメント１のタペット１１は、スイッチングエレメント３の作動アーム３１を把持している。ケーシング２の中空室２１内の底部領域には、作動エレメント１に向かって凸状に配置された、一体に成形された制限エレメント５が設けられている。
【００２６】
図４の制限エレメント５の斜視図と、図５の、組み込まれた制限エレメント５を備えたケーシング２の平面図とに詳しく示してあるように、制限エレメント５は中央の切欠き５３を有している。この切欠き５３は、操作エレメント１におけるタペット１１の外側寸法に対応する。さらに、制限エレメント５が格子状に構造化されていることが示してある。この場合、制限エレメント５は、図５に示した有利な構成では、中央に切欠きを備えた正方形の冠状部５１を起点として対を成して、制限エレメント５の横軸線および縦軸線に対して平行に互いに向かい合っている末端部５２を有している。これらの末端部の端部は、ケーシングに一体に成形されている。
【００２７】
図示のこの実施形態では、有利には、制限エレメント５はケーシングと一体的に、例えば弾性プラスチックから製作されている。
【００２８】
図６には、図５によるＡ−Ａ線に沿った水平断面図、図７には、図５によるＢ−Ｂ線に沿った鉛直断面図を示してある。凸状に湾曲させられた制限エレメントは、１つの製作プロセスでケーシングと一緒に成形される。
【００２９】
図８には、本発明によるナビゲーションスイッチの別の有利な構成を示してある。ここでは、別個の制限エレメント６が設けられており、この制限エレメント６はケーシング７の底部に嵌め込まれる。
【００３０】
図９には、図８に記載したナビゲーションスイッチを、ケーシング７内で中央に配置された作動エレメント１を備えて平面図で示してある。
【００３１】
図１１〜図１４には、作動エレメント１を収容しているケーシング７の、種々異なる視点から見た図を示してある。ケーシング７は円形の中空室７１を有していて、底部には、図１１〜図１４に詳しく示してあるように半径方向で中空室７１の側壁に配置された４つの係止部７２を有している。
【００３２】
図１５〜図１７には、制限エレメント６の１実施形態を示してある。この制限エレメント６は、凸状に湾曲させられたプレートとして形成されており、このプレートは、側縁部６２に配置された４つの対応係止部６１を備えている。これらの対応係止部６１は半径方向で同じ間隔を置いて配置されている。
【００３３】
制限エレメント６は中央に切欠き６３を有しており、この切欠き６３は、作動エレメント１のタペット１１の寸法に対応している。この切欠き内に作動エレメント１のタペット１１が延びているので、タペット１１の確実な案内が可能になり、ひいては作動アーム３１の、コントロールされない作動が防止される。
【００３４】
係止のために、制限エレメント６は４５度だけ時計回りに回動させられ、したがってケーシング７に堅固に結合されている。
【００３５】
制限エレメント５，６の特別な作用形式は、図３および図１０の断面図に示す。
【００３６】
作動エレメント１の下面は、組み付けられた状態では、ケーシング２，７内に存在する制限エレメント５，６の上面５４，６４（図３および図１０参照）に対して最小間隔ｄを有している。作動エレメント１への力導入ｆは、中心または離心で行われることができる。図１０に特別に示してあるように、中心の力導入ｆは、作動エレメント１がスイッチングエレメント３の作動アーム３１を距離ｅだけ下方へスイッチングエレメント３内に移動させるという結果をもたらす。距離ｅは、制限エレメント５，６によって実現された行程制限量を表す。さらに、制限エレメント５，６は、作動エレメント１と制限エレメント５，６の上面５４，６４との間隔ｄに基づく離心の力導入に際して、傾倒制限を行う。中心または離心の、あまりにも大きすぎる力導入ｆに際して、作動エレメント１に対する押圧力の、ケーシング２，７の壁内への誘導が行われる。
【図面の簡単な説明】
【００３７】
【図１】本発明によるナビゲーションスイッチの斜視図的な分解図である。
【図２】図１に示したナビゲーションスイッチの平面図である。
【図３】図２によるＤ−Ｄ線に沿った鉛直断面図である。
【図４】組み込まれた制限エレメントを備えた、作動エレメントを収容しているケーシングの、斜め上方からの斜視図である。
【図５】図４に示したケーシングの平面図である。
【図６】図５に示したケーシングのＡ−Ａ線に沿った水平断面図である。
【図７】図５に示したケーシングのＢ−Ｂ線に沿った鉛直断面図である。
【図８】本発明による別のナビゲーションスイッチの斜視図的な分解図である。
【図９】図８に示したナビゲーションスイッチの平面図である。
【図１０】図９に示したナビゲーションスイッチのＣ−Ｃ線に沿った鉛直断面図である。
【図１１】作動エレメントを収容しているケーシングの、斜め上方からの斜視図である。
【図１２】図１１に示したケーシングの平面図である。
【図１３】図１２に示したケーシングのＡ−Ａ線に沿った鉛直断面図である。
【図１４】図１２に示したケーシングのＢ−Ｂ線に沿った対角線方向断面図である。
【図１５】図８による本発明によるナビゲーションスイッチの制限エレメントの平面図である。
【図１６】図１５によるＡ−Ａ線に沿った断面図である。
【図１７】図１５に示した制限エレメントの側面図である。
【図１】
2006502542.tif 000003
【図２】
2006502542.tif 000004
【図３】
2006502542.tif 000005
【図４】
2006502542.tif 000006
【図５】
2006502542.tif 000007
【図６】
2006502542.tif 000008
【図７】
2006502542.tif 000009
【図８】
2006502542.tif 000010
【図９】
2006502542.tif 000011
【図１０】
2006502542.tif 000012
【図１１】
2006502542.tif 000013
【図１２】
2006502542.tif 000014
【図１３】
2006502542.tif 000015
【図１４】
2006502542.tif 000016
【図１５】
2006502542.tif 000017
【図１６】
2006502542.tif 000018
【図１７】
2006502542.tif 000019
【国際調査報告】
2006502542.tif 000020
2006502542.tif 000021
2006502542.tif 000022
2006502542.tif 000023